(57)【要約】      （修正有）【課題】セラミックヒーターを用いることで、線香の本数にかかわらず迅速に着火でき、かつ利用場所の範囲を広くすることができる構造を有した線香着火装置を提供する。【解決手段】支持台１に着火器本体２をその先端部に向けて下がり勾配に取り付け、電源から着火器本体２に供給される電力をオンオフする検知スイッチ４を支持台１内に取り付け、着火器本体２は線香束９を抱持可能である抱持孔１０ａを有する線香保持体１０と、この線香保持体の先端部側に配置してあるセラミックヒーター１１とを設ける。また、セラミックヒーター１１は電源に接続されていると共に、線香束９の先端部が当接可能な当接着火部１１ａ１を形成し、検知スイッチ４は線香束９の移動によりスイッチのオンオフを行う検知レバー１７を有している。【選択図】図１
0003166514.tif 000002
【実用新案登録請求の範囲】
【請求項１】
支持台、この支持台に先端部に向けて下がり勾配の状態に取り付けてある着火器本体及び電源から上記着火器本体に供給される電力をオンオフする検知スイッチを備えており、
上記着火器本体は、線香束を抱持可能である抱持孔を有する線香保持体と、この線香保持体の先端部側に配置してあるセラミックヒーターとを設けてあり、
上記セラミックヒーターは、上記線香束の先端部が当接可能な当接着火部を設け、上記電源に接続されていると共にこの電源からの通電の有無を表示するヒーター通電表示灯に接続しており、
上記線香束は線香保持体に対して挿入及び離脱可能に移動することができるものであって、上記作動体を押圧可能であり、
上記検知スイッチは、上記線香束の移動線上に配置しかつスイッチのオンオフを行う作動体を有し、上記セラミックヒーターに接続している
ことを特徴とする線香着火器。
【請求項２】
線香保持体は、その先端部側に上側に開口している開口部をあけてあることを特徴とする請求項１記載の線香着火器。
【請求項３】
セラミックヒーターの後方に断熱板を配置してあることを特徴とする請求項１又は請求項２記載の線香着火器。
【請求項４】
当接着火部の前面には熱伝導膜を設けてあり、この熱伝導膜が熱伝導率の高い塗料を塗布して形成しているものであることを特徴とする請求項１乃至請求項３のいずれかに記載の線香着火器。
【請求項５】
検知スイッチはマイクロスイッチであり、作動体はマイクロスイッチのスイッチケースに出没可能であるアクチュエータと上記スイッチケースに取り付けてあるばね片からなる検知レバーとから形成されており、上記アクチュエータは上記検知レバーにその裏面側で接触しており、上記検知レバーが線香保持体内に突出されていることを特徴とする請求項１乃至請求項４のいずれかに記載の線香着火器。
【請求項６】
箱体と、この箱体内に配置してある複数の請求項１記載の線香着火器とを備えており、
上記各線香着火器は電源に対して並列に接続されていることを特徴とする線香着火装置。
【請求項７】
セラミックヒーターの後方に断熱板を配置してあることを特徴とする請求項６記載の線香着火装置。
【考案の詳細な説明】
【技術分野】
【０００１】
この考案は、ヒーターを使用した線香着火器及び線香着火装置に関するものである。
【背景技術】
【０００２】
線香を短時間に均一に着火することができる線香着火装置として、例えば登録実用新案第３００２００６号公報に記載の技術が提案されている。当該登録公報に記載されている線香着火装置は、主にケースと着火器とによって構成されている。
上記ケースは耐熱材料で形成された円筒形のもので、その内径が線香の束の外径よりもある程度大きく設定されている。上記ケースの下端部内には、円環状の着火器固定リングが同軸に固定されている。着火器固定リングは、上記着火器のバーナー部がほぼ隙間なく挿入できる中心孔を有し、この中心孔に上記バーナー部を挿入すると、着火器に対してケースがぐらつかないように支持される。上記着火器は、上記バーナー部と、燃料ガスを蓄えているボンベ部と、バーナー部及びボンベ部をつなぐ環状部とを有し、環状部の内側には着火レバーが設けられている。
上記線香着火装置の使用方法は、ケース内の線香収容部に線香の束を挿入し、下端を金網に当接させたうえ、着火器の着火レバーを操作してバーナー部の先端から炎を噴出させて、線香の束の下端を加熱させて着火する。
当該従来例によると、着火時に火炎が生じるため、ビル内の納骨堂等のような火器が禁じられている場所では使用できない課題がある。
この課題を解決したのが、特開平７−２２５０２３号公報に記載の線香着火装置である。
当該線香着火装置は、熱伝導率の高い筐体と円柱状の電熱被覆ヒータを有している。筐体は、その上面側には線香を寝かせ置き可能のスロープ溝状の線香受け部を有しており、そのスロープ溝の下手側の線香受け部の一端側には枕状の電熱被覆ヒータが横架している。線香の先端が電熱被覆ヒータに当接するように線香を寝かせ置くと、赤熱迄に至らない電熱被覆ヒータによって線香先端部に無炎状態で火が着き、火は徐々に他端側に移って行く。
【先行技術文献】
【特許文献】
【０００３】
【特許文献１】登録実用新案第３００２００６号公報
【特許文献２】特開平７−２２５０２３号公報
【考案の概要】
【考案が解決しようとする課題】
【０００４】
前者の従来例では、全ての線香を均一に着火することができるものの、火炎を用いるために利用場所が限られる。
後者の従来例によれば、１本又は数本の線香を短時間に着火することができるものの、本数が増えた場合や線香束を均一に着火することが難しく、全ての線香に着火させるには時間がかかる。
この考案の目的は、線香の本数にかかわらず迅速に着火することができると共に、利用場所の範囲を広くすることにある。
【課題を解決するための手段】
【０００５】
この考案に係る線香着火器は、支持台、この支持台に先端部に向けて下がり勾配の状態に取り付けてある着火器本体及び電源から上記着火器本体に供給される電力をオンオフする検知スイッチを備えている。上記着火器本体は、線香束を抱持可能である抱持孔を有する線香保持体と、この線香保持体の先端部側に配置してあるセラミックヒーターとを設けてある。上記セラミックヒーターは、上記線香束の先端部が当接可能な当接着火部を設け、上記電源に接続していると共にこの電源からの通電の有無を表示するヒーター通電表示灯に接続している。上記線香束は、上記線香保持体に対して挿入及び離脱可能に移動することができるものであって、上記作動体を押圧可能である。上記検知スイッチは、上記線香束の移動線上に配置しかつ上記線香束の押圧及びその解除を通じてスイッチのオンオフを行う作動体を有し、上記セラミックヒーターに接続している。
上記線香保持体の先端部側にかつ上側に開口している開口部をあけることにより、着火状態の確認と放熱及び排煙効果を得ることができる。そして、上記セラミックヒーターによる周辺部の加熱を抑制するために、セラミックヒーターの後方に断熱板を配置することにより、後方の熱の発散を抑制することができる。また、上記当接着火部の前面には熱伝導膜を設け、この熱伝導膜が熱伝導率の高い塗料を塗布して形成しているものとすることにより、着火時間の短縮を図ることができる。さらに、上記検知スイッチをマイクロスイッチとし、上記作動体をマイクロスイッチのスイッチケースに出没可能であるアクチュエータと上記スイッチケースに取り付けてあるばね片からなる検知レバーとから形成し、上記アクチュエータを上記検知レバーの裏面に接触させ、上記検知レバーを線香保持体内に突出させることにより、スイッチのオンオフを確実なものとする。
この考案に係る線香着火装置は、箱体と、この箱体内に配置してある複数の請求項１記載の線香着火器とを備えており、上記各線香着火器は電源に対して並列に接続されている。
セラミックヒーターの後方に断熱板を配置することによる後方への熱の発散を抑制することができる。
【考案の効果】
【０００６】
この考案によれば、セラミックヒーターの当接着火部に線香束の先端部が当接するので、線香束を短時間に着火することができ、ヒーターとしてセラミックヒーターを使用しているので、ニクロム線ヒーターと比較して耐久性を向上させることができ、使用場所の範囲が従来例と比較して広くなる。
この考案によれば、線香保持体を先端部に向けて下がり勾配に取り付けられているので、線香束の挿入操作がし易い。
【図面の簡単な説明】
【０００７】
【図１】この考案に係る線香着火器を示す一部切欠側面図である。
【図２】図１における線香着火器を示す平面図である。
【図３】図１における線香着火器を示す正面図である。
【図４】図１における線香着火器を示す背面図である。
【図５】この考案に係る線香着火器に使用する着火器本体を水平状態にして示す平面図である。
【図６】図５のＶＩ−ＶＩ線に沿う断面図である。
【図７】図５のＶＩＩ−ＶＩＩ線に沿う断面図である。
【図８】図７における着火器本体に用いるセラミックヒーターを示す正面図である。
【図９】この考案に係る線香着火器の回路図である。
【図１０】この考案に係る線香着火装置を示す一部切欠側面図である。
【図１１】図１０のＸＩ−ＸＩ線に沿う断面図である。
【図１２】この考案に係る線香着火装置の回路図である。
【考案を実施するための形態】
【０００８】
この考案に係る線香着火器について、図１〜図９を参照して説明する。
図１〜図４及び図９において、線香着火器Ｆは、支持台１、この支持台に取り付けてある着火器本体２、電源３から上記着火器本体に供給される電力をオンオフする検知スイッチ４を備えている。
【０００９】
図１〜図３において、支持台１はその本体の側面側が開口となっている薄い幅のボックスであり、この開口が蓋板５によって開放可能に閉じられている。蓋板５は、支持台１に取付け片１ａにねじ込まれているボルト６によって取外し可能に固定されている。
支持台１の上部の取付け部１ｂは、図１に示すように前側（図右側）から背面側（左側）に向けて下向きの傾斜面となっている。取付け部１ｂには、その長さ方向（図１左右方向）に長い長孔１ｄを開けてある。そして、支持台１の前部１ｃは逆「く」字状に屈曲されており、下側の垂直部分には給電表示灯７を、上側の傾斜部分にはヒーター通電表示灯８をそれぞれ取り付けてあり、各表示灯の表示部が前部外に露出されている。給電表示灯７及びヒーター通電表示灯８として、例えばＬＥＤが使用され、前者の表示灯を赤色表示とし、後者の表示灯を青色表示としている。給電表示灯７は着火器本体２への通電の有無を、またヒーター通電表示灯８はセラミックヒーター１１への通電の有無をそれぞれ点灯・消灯によりかつ、色分けして利用者の識別をし易くしている。
【００１０】
図１〜図４に示す着火器本体２は線香束９を挿入保持する線香保持体１０と、セラミックヒーター１１及び断熱板１２を備えている。
図５〜図７において、線香保持体１０は線香束９を抱持可能である抱持孔１０ａを有する筒状に形成されている。抱持孔１０ａの内径は、線香束９を密着状態に又は図７に示すように隙間をあけて包囲可能にその大きさが設定されている。線香保持体１０は線香束９を挿入し、離脱（取出し）が容易であってかつ、安定的に保持できる径及び長さを有している。線香保持体１０は、中間部を残して前後両側のほぼ上半部分が第１及び第２の開口部１０ｂ，１０ｃとなっている。線香保持体１０には、図５及び図６に示すように第２の開口部１０ｃの下方にも第３の開口部１０ｄを開けてある。第２及び第３の開口部１０ｃ，１０ｄは、着火状態の確認用の窓として、そして放熱用及び排煙用として機能する。線香保持体１０の底部にはその長さ方向に沿って長孔１０ｅを開けてある。
線香保持体１０の先端部（後端部）には取付け片１０ｆを両外側に折り曲げてある。両取付け片１０ｆは、セラミックヒーター１１及び断熱板１２のそれぞれの両端部と第１のスペーサ１３及び第２のスペーサ１４を介して対向され、ボルト１５によって一体的に結合されている。
【００１１】
セラミックヒーター１１は、図５及び図６に示すように線香保持体１０の先端部側（後端部側）に配置してある。
図５〜図８に示す例において、セラミックヒーター１１は、セラミック体１１ａと、このセラミック体内に埋め込まれている抵抗発熱体１１ｂを備えている。セラミックヒーター１１は内部のリード部（図示せず。）を通じて外部の配線に接続される。セラミック体１１ａは板状に成形され、図８に示すように、中央部分が上下に膨らんで正面の全体形状が円形状の当接着火部１１ａ１となっており、その径は線香束９の外径とほぼ一致している。当接着火部１１ａ１には線香束９の先端部が当接可能であって、この線香束の先端部が当接着火部の発熱により加熱され着火される。当接着火部１１ａ１には、その前面かつ全面に熱伝導率の良い塗料を塗布した円形の熱伝導膜１６を設けてある。図８では熱伝導膜１６を点描で図示している。当接着火部１１ａ１の熱伝導膜１６には線香束９の先端全面が当接可能である。
【００１２】
図５〜図７に示す例において、断熱板１２は四角形状に形成されている。断熱板１２はセラミックヒーター１１の後方に配置され、セラミックヒーターから放熱される熱を後方へ発散するのを抑制している。
断熱板１２とセラミックヒーター１１との間に配置されている第２のスペーサ１４も断熱材からなる。同様に、セラミックヒーター１１と取付け片１０ｆとの間に配置されている第１のスペーサ１３も断熱材からなり、セラミックヒーターからの熱を線香保持体１０へ熱伝導されることを抑制している。
【００１３】
検知スイッチ４の構成及び線香着火器Ｆの回路について、図１、図２及び図９を参照して説明する。
検知スイッチであるマイクロスイッチ４は、支持台１内に収納され、固定されている。マイクロスイッチ４は公知の切換え式のものを使用しており、スイッチケース４ｆの底部より電源端子４ａが、前部より常閉端子４ｂ及び常開端子４ｃが、上部から押しボタン式のアクチュエータ４ｅがそれぞれ突出されている。アクチュエータ４ｅは、マイクロスイッチ４のスイッチケース４ｆに内蔵しているばね（図示せず。）のばね力によって常に上端側にばね力が付与されている。そして、スイッチケース４ｆの上部にはＬ形のばね片からなる検知レバー１７を片持ち状態に取り付けある。検知レバー１７はその先端に向けて上向き傾斜されている。検知レバー１７は先端側が自由端であるから、基端を中心として上下に湾曲可能である。検知レバー１７の基部裏面にマイクロスイッチ４のアクチュエータ４ｅの上端部が接している。検知レバー１７を図１の位置から基端を中心として下方に湾曲させると、アクチュエータ４ｅはばね力に抗してスイッチケース４ｆの内部側に押圧される。
図１及び図２に示すように、支持台１の長孔１ｄの真上に線香保持体１０の長孔１０ｅが位置されているために、両長孔を通じてマイクロスイッチ４のアクチュエータ４ｅ及び検知レバー１７が線香保持体内に突出されている。線香保持体１０内において、検知レバー１７は線香束９の移動線上に位置し、上記線香保持体の先端部側（図１左側）へ移動する線香束によって下方に押圧され、前側（図右側）へ移動する線香束によって押圧が解除される。アクチュエータ４ｅは、検知レバー１７の上下動によってマイクロスイッチ４のスイッチケース４ｆに出没される。
【００１４】
図９において、マイクロスイッチ４及び電源スイッチ１８はいずれも電源３に対して直列に接続されている。給電表示灯７、ヒーター通電表示灯８及びセラミックヒーター１１はいずれも電源３に対して並列に接続されている。この並列回路には、マイクロスイッチ４及び電源スイッチ１８を介して電源３から電力が供給される。
マイクロスイッチ４は、アクチュエータ４ｅを押し込むと、共通端子４ｄと常閉端子４ｂは導通から非導通状態へと切換り、逆に共通端子と常開端子４ｃとが非導通から導通状態へと切換る。アクチュエータ４ｅに対する押し込みが解除されると、ばね力によって初期位置に復帰し、共通端子４ｄと常閉端子４ｂは非導通から導通状態へと切換り、逆に共通端子と常開端子４ｃとが導通から非導通状態へと切換る。
電源スイッチ１８がオンの場合であって、アクチュエータ４ｅが初期位置にある場合には、共通端子４ｄと常閉端子４ｂは導通状態にあるから給電表示灯７が点灯表示され、ヒーター通電表示灯８は非点灯表示となる。
アクチュエータ４ｅが押し込まれた場合には、共通端子４ｄと常開端子４ｃは導通状態に切換るから給電表示灯７が非点灯表示され、ヒーター通電表示灯８は点灯表示となる。
電源３は電池でも、また１００Ｖ交流電源で充電できる充電地でも良い。もちろん、電源３は１００Ｖ交流電源でも良いが、この場合には、回路中にトランス等を介在させて、セラミックヒーター１１に例えば１２Ｖ程度の低電圧が印加されるようにすることが高電圧に伴う不都合を排除するためにも望ましい。
【００１５】
次に線香着火器Ｆの使用方法について説明する。
まず、電源スイッチ１８をオンすると、給電表示灯７が点灯表示されるから、利用者は線香着火器Ｆが使用可能であることを確認する。
ついで、利用者は、線香束９を持ってその先端部を線香保持体１０内に第１の開口部１０ｂから挿入して線香束の先端部がセラミックヒーター１１の当接着火部１１ａ１に当接するまで押し込む。当接した段階で、利用者は線香束９を放す。この時、線香束９の先端部端面が当接着火部１１ａ１の熱伝導膜１６に接触している。
線香保持体１０は下がり勾配に取り付けられているので、線香保持体１０の移動が円滑に行え、押し込み操作が簡易となり、そして、着火時に、利用者が線香束９から手を離しても線香束の先端部端面が当接着火部１１ａ１から離れることなく、接触状態が維持できると共に、所定圧で接触するために着火が円滑に行われる。
線香束９が線香保持体１０内を先端側に向けて移動する過程で、この線香束は線香保持体内に突出されている検知レバー１７を下方に押し下げる。この押し下げによって、マイクロスイッチ４のアクチュエータ４ｅはばね力に抗して押し込まれるので、共通端子４ｄと常開端子４ｃとが初期の非導通状態から導通状態に切換るので、セラミックヒーター１１には電源３からの電力が供給されて発熱が開始され、同時に、給電表示灯７が非点灯状態となり、ヒーター通電表示灯８は点灯される。このため、利用者はセラミックヒーター１１の通電を確認することができる。
セラミックヒーター１１の発熱により線香束９の先端部が加熱され着火される。利用者は第２の開口部１０ｃを通じて着火状態を確認しながら、着火から所定時間（数秒）経過後、着火された線香束９を線香保持体１０から取り出す。
線香束９が線香保持体１０から取り出す過程では、検知レバー１７は線香束による押圧が解除されるので、アクチュエータ４ｅと共に、図１に示す初期の位置に復帰する。これにより、共通端子４ｄと常開端子４ｃとが初期の非導通状態に戻るから、給電表示灯７が点灯状態となり、同時に、セラミックヒーター１１は電源３からの電力の供給が断たれるために発熱が停止され、ヒーター通電表示灯８は消灯される。このため、利用者はセラミックヒーター１１がオフとなったことを確認することができる。
このように線香束９を線香保持体１０に対して挿入したり、取り出す操作を通じて、マイクロスイッチ４のスイッチがオンオフとなり、この作動に伴ってセラミックヒーター１１の通電と非通電が自動的に行われる。
【００１６】
図示する線香着火器Ｆによれば、セラミックヒーター１１の当接着火部１１ａ１に線香束９の先端面が当接するので、線香束の先端部を短時間に着火することができ、ヒーターとしてセラミックヒーター１１を使用しているので、ニクロム線ヒーターと比較して耐久性が高まり、そしてセラミックヒーターの当接着火部に熱伝導膜１６を設けることによってより一層着火時間を短縮することができる。セラミックヒーター１１の後方に断熱板１２を配置することにより、後方への熱の発散を防止することができ、後方部分の加熱による弊害を抑制することができる。線香保持体１０を先端部に向けて下がり勾配に取り付けられているので、線香束９の挿入操作がし易い。線香保持体１０の先端部に、上側に向けて開口している第２の開口部１０ｃを開けることによって、着火状態を確認することができると共に、放熱及び排煙効果を得ることができる。
【００１７】
図示する線香着火器Ｆにおいて、線香保持体１０は全長に渡って筒状であっても良い。
また、検知スイッチ４のオンオフを行う作動体を検知レバー１７とアクチュエータ４ｅとで構成したが、検知レバーを使用することなく、アクチュエータのみを線香束９の移動線上に配置して線香束と接触するようにしても良い。
検知スイッチ４は切換え式のマイクロスイッチを使用したが、必ずしも切換え式でなくても良く、切換え式でない場合には給電表示灯７は不要である。
【００１８】
この考案に係る線香着火装置について、図１０〜図１２を参照して説明する。
図示する線香着火装置ＦＥは、箱体１９と、この箱体に収納配置してある複数の線香着火器Ｆとを備えている。
箱体１９は、図１０及び図１１に示すように内部が仕切り壁２０によって前室１９ａと後室１９ｂとに仕切られている。
前室１９ａの前側には片開き式の扉２１を取り付けてある。前室１９ａ内には複数（図示の例では２台）の上記線香着火器Ｆを収納してある。各線香着火器Ｆは基台２２上に先端部を図１１左側に向けて並べて配置され、基台上に置かれた支持台１が固定されている。基台２２は、その扉２１側（図１０右側）の前部が傾斜面となって、この前部に電源スイッチ１８を設けてある。
後室１９ｂ内にはトランス２３及び端子台２４を配置してある。端子台２４には各線香着火器Ｆのマイクロスイッチ４からの配線を接続してある。
線香着火装置ＦＥの回路を示す図１２において、各線香着火器Ｆは電源３に並列に接続されている。電源３は１００Ｖ交流電源としている。電源３と各線香着火器Ｆとの回路中にトランス２５を介在させて、低電圧（例えば１２Ｖ）のセラミックヒーター１１を使用可能としている。
【００１９】
次に線香着火装置ＦＥの使用方法について説明する。
使用に際して、管理者は電源スイッチ１８をオンしておく。すると、各線香着火器Ｆの給電表示灯７が点灯表示されるので、利用者はすべての線香着火器について使用可能であることを認識する。
その後、利用者は、線香束９の着火操作をするのであるが、その操作は上述した線香着火器Ｆの場合と同じであるので、その説明を省略する。
【００２０】
線香着火装置ＦＥは、寺や納骨堂等のように一度に複数の利用者が使用する場合には好都合である。また、線香着火器Ｆを箱体１９内に納めているので、仕切り壁２０が接近している場合に、壁側である後方への熱の発散を抑制することができる。
【符号の説明】
【００２１】
Ｆ            線香着火器
ＦＥ          線香着火装置
１            支持台
２            着火器本体
３            電源
４            マイクロスイッチ（検知スイッチ）
４ｅ          アクチュエータ（作動体）
４ｆ          スイッチケース
７            給電表示灯
８            ヒーター通電表示灯
９            線香束
１０          線香保持体
１０ａ        抱持孔
１０ｂ        第１の開口部
１０ｃ        第２の開口部
１０ｄ        第３の開口部
１１          セラミックヒーター
１１ａ        セラミック体
１１ａ１      当接着火部
１２          断熱板
１６          熱伝導膜
１７          検知レバー（作動体）
１９          箱体
２３          トランス
【図１】
0003166514.tif 000003
【図２】
0003166514.tif 000004
【図３】
0003166514.tif 000005
【図４】
0003166514.tif 000006
【図５】
0003166514.tif 000007
【図６】
0003166514.tif 000008
【図７】
0003166514.tif 000009
【図８】
0003166514.tif 000010
【図９】
0003166514.tif 000011
【図１０】
0003166514.tif 000012
【図１１】
0003166514.tif 000013
【図１２】
0003166514.tif 000014